(57)【要約】  【課題】リアプロジェクションテレビ用スクリーン等に使用されるブラック・ストライプ付きレンズシートの製造装置に関する。【解決手段】  ロール状透明支持基材の裏側面に積層される感光層形成材と転写層形成材と粘着層形成材が各々軸着される巻き出し軸と巻き取り軸を有するブラック・ストライプ付きレンズシートの製造装置であって、ロール状透明支持基材が軸着される巻き出し軸と各層形成材が各々軸着される巻き出し部と巻取り部に、透明支持基材と各層形成材が送り出される送り量を計測する計測手段と、透明支持基材と各層形成材が送り出される明証を識別し、保存する登録手段と、計測手段と、登録手段によって使用した透明支持基材と各層形成材と最終製品に使用された透明支持基材と各層形成材の使用量および識別を管理する管理手段と、を具備することを特徴とするブラック・ストライプ付きレンズシートの製造装置。【選択図】図１
2007121387.tif 000002
【特許請求の範囲】
【請求項１】
巻き出し軸に軸着されて巻き取り軸方向に搬送されるロール状透明支持基材の裏側面に順次積層される感光層形成材と転写層形成材と粘着層形成材が各々軸着される巻き出し軸と巻き取り軸を有するブラック・ストライプ付きレンズシートの製造装置であって、
前記ロール状透明支持基材が軸着される巻き出し軸と各層形成材が各々軸着される巻き出し部と巻き取り部に、透明支持基材と各層形成材が送り出される送り量と巻き取り量を計測する計測手段と、
使用中の前記透明支持基材と各層形成材の種類、ロットを特定する識別情報を保存する登録手段と、
前記計測手段と、登録手段によって使用した透明支持基材と各層形成材と最終製品に使用された透明支持基材と各層形成材の使用量および識別を管理する管理手段と、
を具備することを特徴とするブラック・ストライプ付きレンズシートの製造装置。
【発明の詳細な説明】
【技術分野】
【０００１】
本発明は、リアプロジェクションテレビ用スクリーン等に使用されるブラック・ストライプ付きレンズシートの製造装置に関する。
【背景技術】
【０００２】
従来、リアプロジェクションテレビ用スクリーン等に用いられるるブラック・ストライプ付きレンズシートを連続形成する装置として図４に示すような装置が知られている。
【０００３】
そして、前記装置によって高精細・高画質の液晶プロジェクションテレビの観察に好適でファインピッチなレンズ部を有する透過型スクリーン用レンチキュラーシート（例えば、特許文献１参照。）が知られている。
【０００４】
この透過型スクリーン用レンチキュラーシート１００は図３に示すように透明支持体１２２の片面に、凸シリンドリカルレンズが並設されているレンズ部１２１が、放射線硬化性樹脂の硬化物により形成されている。前記透明支持体１２２の他面には各シリンドリカルレンズの境界部に相当する位置に、ストライプ状の遮光パターン１２３が形成されている。そして、前記パターン１２３上に拡散層１２４が形成されている。
【０００５】
そして、この透過型スクリーン用レンチキュラーシート１００は、図４に示すように、ロールから供給される支持体フイルム１００に紫外線硬化性樹脂を塗布する塗布装置１０２、表面にレンチキュラーレンズの逆形状が形成されたレンズ成型用ロール１０３、加圧ロール１３０、紫外線照射装置１０４、レンチキュラーレンズが形成された支持体フイルムの反レンズ側にロールから供給される紫外線感光性樹脂フイルム１０６を積層するラミネート用ロール対１０５、１１７、紫外線照射装置１０９、ロールから供給される転写紙１１１にて黒色の転写層を形成するためのラミネート用ロール対１１０、１２０、ロールから供給される拡散フイルム１１４を積層するラミネート用ロール対１１３、１２７、ロールから供給される帯電防止機能または反射防止機能を有する透明樹脂フイルム１１６を積層するラミネート用ロール対１１５、１２８などが配設された構成になっている。
【０００６】
前記透過型スクリーン用レンチキュラーシートの光拡散基板を積層する前はロールから連続的に供給されるウェブ状の支持体フイルムに、少なくとも、透明支持体、感光層形成材、転写層形成材、粘着層形成材が形成されている。
【０００７】
以下に先行技術文献を示す。
【特許文献１】特開平９−１２０１０１号公報
【発明の開示】
【発明が解決しようとする課題】
【０００８】
しかし、前記該形成材はロール形状で供給するために、巻芯近傍の形成材料は紙管等に巻き取られる際に皺や傷等の損傷が生じ易く使用できない場合がある。
【０００９】
さらに、各層形成材の巻き取りロールの巻き取られている長さも異なる。そして、巻き取り軸に軸着されている各層形成材等の、どの形成材がどの程度使用されたのかを正確に知ることが難しい。
【００１０】
また、最終製品として製造されたブラック・ストライプ付きレンズシートに積層されて
いる各層形成材の使用量やロット等を特定することが難しい。そして、使用する種々の材料等の品質等を厳密に管理する際に、色々な問題が発生し、且つ、記録を残しづらいという問題がある。
【００１１】
本発明は、上記従来の問題に鑑みてなされたものであり、その課題とするところは、ロールで供給される透明支持基材や各層形成材等の使用量と、最終製品として製造されたブラック・ストライプ付きレンズシートに使用された透明支持基材や各層形成材等の使用内訳等が容易に管理することができるブラック・ストライプ付きレンズシートの製造装置を提供することである。
【課題を解決するための手段】
【００１２】
上記問題点を解決するために、本発明の請求項１に係る発明は、
巻き出し軸に軸着されて巻き取り軸方向に搬送されるロール状透明支持基材の裏側面に順次積層される感光層形成材と転写層形成材と粘着層形成材が各々軸着される巻き出し軸と巻き取り軸を有するブラック・ストライプ付きレンズシートの製造装置であって、
前記ロール状透明支持基材が軸着される巻き出し軸と各層形成材が各々軸着される巻き出し部と巻き取り部に、透明支持基材と各層形成材が送り出される送り量と巻き取り量を計測する計測手段と、
使用中の前記透明支持基材と各層形成材の種類、ロットを特定する識別情報を保存する登録手段と、
前記計測手段と、登録手段によって使用した透明支持基材と各層形成材と最終製品に使用された透明支持基材と各層形成材の使用量および識別を管理する管理手段と、
を具備することを特徴とするブラック・ストライプ付きレンズシートの製造装置である。
【発明の効果】
【００１３】
本発明のブラック・ストライプ付きレンズシートの製造装置はロールで供給されるロール状の透明支持基材や各層形成材等の使用量や識別が容易に分かる。そして、これらをデータ−化して保存管理することができる。
【００１４】
また、最終製品であるブラック・ストライプ付きレンズシートに使用されているロール状の透明支持基材や各層形成材等の使用量や識別等も容易に知ることができる。そして、これらをデータ−化して保存管理することができる。
【発明を実施するための最良の形態】
【００１５】
本発明のブラック・ストライプ付きレンズシートの製造装置を実施の形態に沿って以下に図面を参照にしながら詳細に説明する。図１〜図２は本発明の一実施例を示す。
【００１６】
図１は、本発明のブラック・ストライプ付きレンズシートの製造装置の一実施例の概略を説明するための説明図である。
【００１７】
図１に示すようにブラック・ストライプ付きレンズシートの製造装置３０は透明支持基材２を軸着する透明支持基材巻き出し部１、レンズ成型部３、感光層形成材１８を軸着する感光層形成材巻き出し部４、軸着されている感光層形成材の一部を巻き取る感光層形成材巻き取り部１４、光線照射部５、転写層形成材１９を軸着させる転写層形成材巻き出し部６、軸着されている転写層形成材の一部を巻き取る転写層形成材巻き取り部１６、粘着層形成材２０を軸着させる粘着層形成材巻き出し部７、軸着されている粘着層形成材の一部を巻き取る粘着層形成材巻き取り部１７、ライン制御装置９、パーソナルコンピューター１０、そして、最終製品を巻き取る製品巻き取り部８等から構成されている。
【００１８】
前記透明支持基材巻き出し部１、感光層形成材巻き出し部４及びその巻き取り部１４、転写層形成材巻き出し部６及びその巻き取り部１６、粘着層形成材巻き出し部７及びその巻き出し部１７、製品巻き取り部８には、図には示していないがロータリーエンコーダが設けられている。
【００１９】
そして、ロータリーエンコーダにより、透明支持基材２、感光層形成材１８、転写層形成材１９、粘着層形成材２０の巻き出し量や巻取り量、さらに最終製品の巻き取り量等を計測することが出来る。
【００２０】
また、前記ライン制御装置９とパーソナルコンピューター１０はネットワーク接続されている。そして、ライン制御装置９とパーソナルコンピューター１０により、各種情報のやり取りが行われる。
【００２１】
前記透明支持基材２は透明支持基材巻き出し部１から巻き出され、レンズ成型部３で透明支持基材２の片側面にレンズ部が形成される。そして、形成されたレンズ部の反対側面に感光層形成材巻出し部４から巻き出された感光性樹脂フィルム（感光層形成材）１８が貼り合わされ、光線照射部５で貼り合わされた感光性樹脂フィルム１８が硬化される。
【００２２】
そして、感光性樹脂フィルム１８が硬化されたあと、転写層形成材巻出し部６から巻き出された転写紙（転写層形成材）１９が貼り合わせて遮光パターンを形成する。さらに、その上面に粘着層形成材巻出し部７から巻き出された粘着シート（粘着層形成材）２０が貼り合わせてブラック・ストライプ付きレンズシート２１が形成され、製品巻取り部８で巻き取られる。
【００２３】
また、本発明のブラック・ストライプ付きレンズシート２１の製造装置３０は、透明支持基材２、感光層形成材１８、転写層形成材１９、粘着層形成材２０等を軸着したり、最終製品の巻き取りを軸から取り外す際等に、各巻き出し部４、６、７及び巻き取り部８に設けられているロータリーエンコーダにより、巻き出し量、巻き取り量を計測することができる。
【００２４】
前記ファイル化は、例えば、図３に示すように透明支持基材２や各層形成材１８、１９、２０の識別やロータリーエンコーダのカウンタの数値等を簡易データベースファイルにすることができる。そして、保存管理することができる。前記簡易データベースファイルを表１に示す。
【００２５】
【表１】
2007121387.tif 000003
【００２６】
前記簡易データベースファイルにする際には、事前に図２に示すように、最終製品が巻き取られる巻き取り部８から各層形成材巻き出し部４、６、７及び透明支持基材巻き出し部１の距離ｄ１〜ｄ４（同図では、ｄ１〜ｄ４は、巻き取り部８までの直線距離の様に図示しているが、実際には、それらはパスライン長を示す値である。）を実測する。そして、この距離ｄ１〜ｄ４をパーソナルコンピュータ１０に登録する。
【００２７】
また、パーソナルコンピュータ１０には、各巻出し部４、６、７に軸着される透明支持基材２や各層形成材１８、１９、２０のロット等を特定することができる識別を登録する。この登録は透明支持基材２あるいは各層形成材１８、１９、２０を軸着する都度、登録する。
【００２８】
また、各巻き出し部１、４、６、８あるいは各巻き取り部８、１４、１６、１７に設けられているロータリーエンコーダのカウンタ数値はライン制御装置９が数値を読込み、さ
らに、その数値がパーソナルコンピュータ１０に読み込まれる。
【００２９】
そして、透明支持基材２や各層形成材１８、１９、２０をあらたに各巻き出し部４、６、７に軸着する際には、ロータリーエンコーダのカウンタ数値をゼロに設定してから作業を開始する。
【００３０】
また、最終製品が巻き取られる製品巻き取り部８の、巻き取りを軸から取り外す際にも、ロータリーエンコーダのカウンタ数値をゼロに設定してから作業を開始する。
【００３１】
前記ロータリーエンコーダのカウンタ数値をゼロに設定してから作業を開始することにより、透明支持基材２あるいは各層形成材１８、１９、２０の巻き出し量や、最終製品であるブラック・ストライプ付きレンズシート２１の巻き取り量等を算出することができる。
【００３２】
前記透明支持基材２あるいは各層形成材１８、１９、２０の巻き出し量や、最終製品であるブラック・ストライプ付きレンズシート２１の巻き取り量等はロータリーエンコーダのカウンタの数値を用いて下記の式（１）から算出することができる。
［巻出し量］＝［巻出し停止時カウンタ値］−［巻出し開始時カウンタ値］・・・（１）
また、巻き取り部の巻取り量は巻き取り部のロータリーエンコーダのカウンタ数値で知ることができる。
【００３３】
また、最終製品となったブラック・ストライプ付きレンズシート２１に積層されている各層形成材の使用量は下記の式（２）〜（４）から算出することができる。
（ａ）巻出し材料が完全に巻き取られている場合
［Ａ］−［Ｂ］≧［Ｃ］＋ｄ・・・（２）
この場合、材料巻出し開始時から巻き出された材料は全て巻き取られている。
（ｂ）巻出し材料が完全に巻き取られていない場合。
【００３４】
［Ａ］−［Ｂ］＜［Ｃ］＋ｄ・・・（３）
この場合、材料巻取り量は
［Ａ］−［Ｂ］−ｄ・・・（４）
だけ巻き取っており、残りの量は次の巻取り軸が巻き取ったものである。
【００３５】
Ａ：巻き取り部巻取り量
Ｂ：巻出し開始時の巻取りカウンタ値
Ｃ：材料巻出し量
ｄ：巻き出し部までの距離
そして、ブラック・ストライプ付きレンズシート２１の巻取りを切り替えるごとに上記のように計算をすることができる。そして、使用した透明支持基材２や各層形成材１８、１９、２０の使用量、あるいは最終製品となったブラック・ストライプ付きレンズシート２１に使用されている透明支持基材２や各層形成材１８、１９、２０等の使用内訳を管理保存することが可能となる。
【産業上の利用可能性】
【００３６】
本発明のブラック・ストライプ付きレンズシートの製造装置はリアプロジェクションテレビ用スクリーン等に使用される透過型スクリーン用レンチキュラーシート等の製造に優れていることはもとより、包装部材や医療部材の製造分野など、広い分野で利用できる製造装置として使用できる素晴らしい発明である。
【図面の簡単な説明】
【００３７】
【図１】本発明のブラック・ストライプ付きレンズシートの製造装置の一実施例の概略を説明するための説明図である。
【図２】本発明のブラック・ストライプ付きレンズシートの製造装置の機能を説明するための説明図である。
【図３】従来の透過型スクリーン用レンチキュラーシートの概略を示す断面図である。
【図４】従来の透過型スクリーン用レンチキュラーシートを製造する装置の概略を示す概略図である。
【符号の説明】
【００３８】
１…巻き出し部
２…透明支持基材
３…レンズ成型部
４…感光層形成材巻き出し部
５…光線照射部
６…転写層形成材巻き出し部
７…粘着層形成材巻き出し部
８…製品巻き取り部
９…ライン制御装置
１０…パーソナルコンピュータ
１４…感光層形成材巻き取り部
１６…転写層形成材巻き取り部
１７…粘着層形成材巻き取り部
１８…感光層形成材
１９…転写層形成材
２０…粘着層形成材
２１…ブラック・ストライプ付きレンズシート
３０…ブラック・ストライプ付きレンズシートの製造装置
【図１】
2007121387.tif 000004
【図２】
2007121387.tif 000005
【図３】
2007121387.tif 000006
【図４】
2007121387.tif 000007